(57)【要約】【課題】室外送風回路内においてケーシングに囲われていない翼外周端部での翼端渦の仕切版、熱交換器の内面の接触を抑え翼端渦を安定化させ、さらに、翼外周端とケーシング間を通過する洩れ流れを抑制かつ制御し、翼端渦の生成を安定化させ、流動損失と乱流騒音の増加を抑える室外ユニットを提供するものである。【解決手段】オリフィス１４に囲われていない羽根１３の吸込み側１３ａの外周端部１３ｄと、室外ユニット１の風路９内の仕切板１０とオリフィス１４近傍まで離れているため、オリフィス１４に囲われていない羽根１３の吸込み側１３ａの外周端部１３ｄの負圧面側１３ｄ２で生成される翼端渦が安定化し、羽根外周側の流れが乱れず、流動損失と乱流騒音の増加を抑制することができる。【選択図】図２
2013120046.tif 000002
【特許請求の範囲】
【請求項１】
筐体内に、圧縮機と、前記圧縮機と接続される熱交換器と、前記熱交換器を強制通風する送風機と、を収納する機械室で、前記送風機の吸込み側に前記熱交換器を有し、前記送風機と前記圧縮機は仕切板によって左右に仕切って配置される室外ユニットにおいて、前記送風機の羽根の外周径は、吸込み側となる前記羽根の前縁部が最も小さくなるように変形させ、吐出側となる前記羽根の後縁部が最も大きくなるように変形させ、前記前縁部は記送風機のオリフィスの外側に位置し、前記後縁部は前記送風機のオリフィスの内側に位置したことを特徴とした室外ユニット。
【請求項２】
前記オリフィスに囲まれていない部分の羽根外周端部を羽根の負圧面側に湾曲させた請求項１に記載の室外ユニット。
【請求項３】
前記羽根の外周端部は吸込み側から吐出側にかけて羽根の負圧面側に湾曲し、オリフィスに囲まれた吐出側の湾曲部が、オリフィスに囲まれていない吸込み側の湾曲部に比べ小さいことを特徴とした請求項１に記載の室外ユニット。
【請求項４】
前記羽根の外周端部の圧力面側に面取りを設けた請求項１から３のいずれかに記載の室外ユニット。
【請求項５】
前記羽根の外周端部の圧力面に面取りを設け、オリフィスに囲まれた吐出側の面取りの曲率半径が、オリフィスに囲まれていない吸込み側の面取りの曲率半径に対し小さいことを特徴とした請求項４に記載の室外ユニット。
【請求項６】
前記羽根の外周端部のオリフィスに囲まれていない吸込み側では圧力面に面取りを設け、羽根の外周端部のオリフィスに囲まれた吐出側では負圧面に面取りを設けたことを特徴とした請求項１から３のいずれかに記載の室外ユニット。
【請求項７】
前記羽根の外周端部のオリフィスに囲まれた吐出側では負圧面に設けた面取りの曲率半径が、前記羽根の外周端部のオリフィスに囲まれていない吸込み側の圧力面に設けた面取りの曲率半径より小さいことを特徴とした請求項６に記載の室外ユニット。
【発明の詳細な説明】
【技術分野】
【０００１】
本発明は、空気調和機やヒートポンプ式給湯機などの冷凍装置の室外ユニットに関している。
【背景技術】
【０００２】
近年、空気調和機では、地球温暖化などの対応として省エネが急激に進んでおり、機器の低入力化が促進されている。一方、暖房快適性の向上など室内機、室外機の熱交換性能の向上を求められており、熱交換器の高性能化とともに室内、室外の送風機の高効率高性能も必須となっている。従来、室外機の送風機には、大風量でかつ低騒音の観点から軸流式、あるいは斜流式の送風機が用いられてきた。しかし、空気調和機のさらなる省エネの促進のため、室外機の送風機にも低入力化が必要であり、室外機として所定の風量を維持しつつ、送風機の送風効率をさらに向上することが求められている。また空調用送風機の従来技術として、特許文献１に記載されたものがある。
【０００３】
図１３から図１７は、特許文献１に記載の空気調和機用室外ユニット及び搭載された空調用送風機羽根車を示すものである。
【０００４】
まず、図１３において、本室外機ユニット１１１はユニット本体１１２内に、平面Ｌ  形状の室外熱交換器１１３と、ファンモータ１５０と、空調用送風機羽根車１５１と、ケーシング１５９からなる室外送風回路１１５と、コンプレッサ１１６と、四方弁、インバータ等（図示せず）を収容している。室外送風回路１１５とコンプレッサ１１６との間を仕切板１１７により仕切っている。
【０００５】
また、図１４、図１５  に示すように、空調用送風機羽根車１５１  は、回転軸中心にモ−タ１５０のシャフトを固定して断面が略円錐台状のハブ１５３  を中心にして薄断面の翼１５２を放射状に３枚設けている。そして、図１４のように、翼１５２外周端の回転軌跡に沿うような適切なケ−シング１５９にて翼１５２の吐出側を囲うようにしている。
【０００６】
ここで、図１６（ａ）、（ｂ）および（ｃ）に示すように、翼１５２の半径方向の断面形状を、中点線Ｅ−Ｅ付近より外周端６側では風上側に対して凹形状の曲線で、中点線Ｅ−Ｅ付近よりハブ１５３側は風上側に対して凸形状の曲線にて構成している。
【０００７】
また、中点線Ｅ−Ｅ付近より外周側では風上側に対して凹形状である曲線の曲率半径が、翼１５２の前縁１５４側の半径方向断面部、翼１５２の弦長の中央付近の半径方向断面部、翼１５２の後縁１５５付近の半径方向断面部の順に、その値が大きくなるようにして構成したものである。
【０００８】
すなわち、翼１５２の前縁１５４側の半径方向断面部の曲率半径をｒ１、翼１５２の弦長の中央付近の半径方向断面部の曲率半径をｒ２、翼１５２の後縁１５５付近の半径方向断面部の曲率半径をｒ３としたとき、曲率半径の大きさの関係がｒ１＜ｒ２＜ｒ３となるように構成したものである。
【０００９】
次に、まず、特許文献１に記載空気調和機用室外ユニットの動作を説明する。
【００１０】
まず、ファンモータ１５０により回転軸を介して空調用送風機羽根車１５１が回転駆動して、室外熱交換器１１３を介して室外空気を、空調用送風機羽根車１５１内に導く。その際、翼１５２と、翼１５２の周囲に設けられたケーシング１５９により、動圧と静圧が
付加され送風作用を成す。また、室外熱交換器１１３を通過する際に、コンプレッサ１１６の作動により室外熱交換器１１３の管内を流動する冷媒と熱交換する。
【００１１】
そして、上記の構成によって、風下側である翼１５２の圧力面１５８から風上側である負圧面１５７に向かい、翼外周端１５６とケーシング１５９間を通過する洩れ流れが生じる。これにより翼１５２  の翼外周端１５６の負圧面１５７側  に発生する翼端渦の生成を翼１５２自体の上記の凹状の曲線部で促進させて低騒音化が図れる。
【００１２】
また、翼端渦は、翼外周端１５６の負圧面１５７に発生し、翼１５２の弦長の中心付近より後縁１５５よりの位置で、翼１５２の負圧面１５７から剥離する傾向にある。しかし、凹形状である曲線の曲率半径が、翼１５２の前縁１５４側の半径方向断面部、翼１５２の弦長の中心付近の半径方向断面部、翼１５２の後縁１５５付近の半径方向断面部の順に、その値が大きくなるようにして、翼１５２の後縁１５５付近の半径方向断面部側の曲率半径ｒ３を充分に大きくしているので、後縁付近の凹部は、この翼端渦の剥離現象が阻害されることはない。したがって、渦剥離による損失が減少して更なる効率の向上が図れる。
【先行技術文献】
【特許文献】
【００１３】
【特許文献１】特開２００３−１４８３９５号公報
【発明の概要】
【発明が解決しようとする課題】
【００１４】
しかしながら、上記の特許文献１に記載の従来の構成では、図１７で示すように、ケーシング１５９に囲われていない翼１５２の外周端１５６の負圧面側に翼端渦が発生する際、翼外周端１５６が仕切板１１７や、室外送風回路１１５の熱交換器１１３の内面側に近接するため、翼端渦が仕切版１１７に接触し、渦の形が崩れ、室外送風回路１１５内のケーシング１５９に囲われていない翼外周端１５６付近では、翼端渦が安定せず、翼１５２外周側の流れが乱れ、流動損失の増加と、乱流騒音を高める要因となっている。
【００１５】
また、安定しない翼端渦は、翼１５２の吸込側から吐出側に向かう流れとともにケーシング１５９に吸い込まれ、このケーシング１５９の内壁に接触、崩壊する。
【００１６】
そのため、翼外周端１５６とケーシング１５９間を通過する洩れ流れが生じて、これにより翼１５２  の翼外周端１５６の負圧面１５７側  に発生する翼端渦の生成を阻害し、ケーシング１５９に囲われた吐出側においても翼外周端部１５６から翼１５２の外周側にかけ流れの不安定さを助長し、大きな乱れエネルギが放出され、流動損失の増加と、乱流騒音が高まるという問題点を有していた。
【００１７】
本発明は、上記従来の課題を解決するもので、室外送風回路内において、ケーシングに囲われていない翼外周端部での翼端渦の仕切版、熱交換器の内面の接触を抑え翼端渦を安定化させ、さらに、翼外周端とケーシング間を通過する洩れ流れを抑制かつ制御し、翼端渦の生成を安定化させ、流動損失と乱流騒音の増加を抑える室外ユニットを提供するものである。
【課題を解決するための手段】
【００１８】
上記従来の課題を解決するために、本発明の室外ユニットは、筐体内に、圧縮機と、前記圧縮機と接続される熱交換器と、前記熱交換器を強制通風する送風機と、を収納する機械室で、前記送風機の吸込み側に前記熱交換器を有し、前記送風機と前記圧縮機は仕切板によって左右に仕切って配置される室外ユニットにおいて、前記送風機の羽根の外周径は
、吸込み側となる前記羽根の前縁部が最も小さくなるように変形させ、吐出側となる前記羽根の後縁部が最も大きくなるように変形させ、前記前縁部は記送風機のオリフィスの外側に位置し、前記後縁部は前記送風機のオリフィスの内側に位置したものである。
【００１９】
かかる構成とすることにより、オリフィスに囲われていない羽根の吸込み側の外周端部と、室外機の風路内の仕切板や熱交換器の内面側との距離がオリフィス近傍まで離れているため、オリフィスに囲われていない羽根の吸込み側の外周端部の負圧面側で生成される翼端渦が安定化し、羽根外周側の流れが乱れず、流動損失と乱流騒音の増加を抑制する。
【００２０】
また、安定しない翼端渦は、羽根の吸込側から吐出側に向かう流れとともにオリフィスに吸い込まれるが、安定化しているので、羽根外周端部とオリフィス間を通過する洩れ流れより羽根外周端の負圧面側  に発生する翼端渦の生成を阻害せず、オリフィスに囲われた吐出側においても羽根外周端部から羽根の外周側にかけ流れの安定し、大きな乱れエネルギが放出されず、吐出側での大きな流動損失と乱流騒音の高まりを小さく抑える。
【発明の効果】
【００２１】
本発明の室外ユニットは、風路内において、オリフィスに囲われていない吸込側の羽根外周端部での翼端渦の仕切版、熱交換器の内面の接触を抑え翼端渦を安定化させ、さらに、オリフィスに囲われた吐出側の羽根外周端とオリフィス間を通過する洩れ流れを抑制かつ制御し、翼端渦の生成を安定化させ、流動損失と乱流騒音の増加を小さく抑えることができる。
【図面の簡単な説明】
【００２２】
【図１】本発明の実施の形態１における空気調和機の室外ユニットの断面図
【図２】同実施の形態における送風機の断面図
【図３】同実施の形態における送風機の平面図
【図４】図３のＯ−Ａ断面における羽根外周要部拡大図
【図５】実施の形態２における送風機の断面図
【図６】同実施の形態における送風機の平面図
【図７】図６のＯ−Ｂ断面における羽根外周要部拡大図
【図８】図６のＯ−Ｃ断面における羽根外周要部拡大図
【図９】実施の形態３における送風機の断面図
【図１０】同実施の形態における送風機の平面図
【図１１】図１０のＯ−Ｄ断面における羽根外周要部拡大図
【図１２】図１０のＯ−Ｅ断面における羽根外周要部拡大図
【図１３】従来の空気調和機の室外ユニットの断面図
【図１４】従来の一部回転軌跡のある送風機の子午断面図
【図１５】従来の送風機の正面図
【図１６】（ａ）図１５のＡ−Ｏ断面（同羽根車の前縁側半径方向断面図）（ｂ）図１５のＢ−Ｏ断面（同羽根車の翼の弦長の中央付近の半径方向断面図（ｃ）図１５のＣ−Ｏ断面（同羽根車の後縁側半径方向断面図）
【図１７】従来の羽根外周要部拡大図
【発明を実施するための形態】
【００２３】
請求項１に記載の発明の室外ユニットは、筐体内に、圧縮機と、前記圧縮機と接続される熱交換器と、前記熱交換器を強制通風する送風機と、を収納する機械室で、前記送風機の吸込み側に前記熱交換器を有し、前記送風機と前記圧縮機は仕切板によって左右に仕切って配置される室外ユニットにおいて、前記送風機の羽根の外周径は、吸込み側となる前記羽根の前縁部が最も小さくなるように変形させ、吐出側となる前記羽根の後縁部が最も大きくなるように変形させ、前記前縁部は記送風機のオリフィスの外側に位置し、前記後
縁部は前記送風機のオリフィスの内側に位置したものである。
【００２４】
かかる構成とすることにより、オリフィスに囲われていない羽根の吸込み側の外周端部と、室外機の風路内の仕切板や熱交換器の内面側との距離がオリフィス近傍まで離れているため、オリフィスに囲われていない羽根の吸込み側の外周端部の負圧面側で生成される翼端渦が安定化し、羽根外周側の流れが乱れず、流動損失と乱流騒音の増加を抑制することができる。
【００２５】
また、この翼端渦は、羽根の吸込側から吐出側に向かう流れとともにオリフィスに吸い込まれるが、安定化しているので、羽根外周端部とオリフィス間を通過する洩れ流れより羽根外周端の負圧面側  に発生する翼端渦の生成を阻害せず、オリフィスに囲われた吐出側においても羽根外周端部から羽根の外周側にかけ流れの安定し、大きな乱れエネルギが放出されず、吐出側での大きな流動損失と乱流騒音の高まりを小さく抑えることができる。
【００２６】
請求項２に記載の発明は、前記羽根のオリフィスに囲まれていない部分の羽根外周端部を羽根の負圧面側に湾曲させたものである。
【００２７】
かかる構成とすることにより、請求項１に記載の発明に加え、オリフィスに囲まれていない吸込側の羽根外周端部の圧力面側から負圧面側へ回り込む気流は緩やかに方向転換して回り込み、かつ負圧面側から吹き出す気流も湾曲した負圧面に沿って前記回り込み気流とほぼ同方向に吐出されるため、気流の境界で生じる乱れは小さく、羽根外周端部の負圧面側で発生する翼端渦が小さくなり羽根外周部における気流の乱れを抑制する。
【００２８】
その結果、この部分での流動損失の増加と乱流騒音の発生を抑制することができる。
【００２９】
請求項３に記載の発明は、前記羽根の外周端部は吸込み側から吐出側にかけて羽根の負圧面側に湾曲し、オリフィスに囲まれた吐出側の湾曲部が、オリフィスに囲まれていない吸込み側の湾曲部に比べ小さいことを特徴としたものである。
【００３０】
かかる構成とすることにより、請求項１に記載の発明に加え、オリフィスに囲まれていない吸込側の羽根外周端部の圧力面側から負圧面側へ回り込む気流は緩やかに方向転換して回り込み、かつ負圧面側から吹き出す気流も湾曲した負圧面に沿って前記回り込み気流とほぼ同方向に吐出されるため、気流の境界で生じる乱れは小さく、羽根外周端部の負圧面側で発生する翼端渦が小さくなり羽根外周部における気流の乱れを抑制する。
【００３１】
さらに、羽根のオリフィスに囲まれた部分の羽根外周端部を羽根負圧面側に小さく湾曲させているため、羽根外周端部とオリフィス間を通過する洩れ流れが少なくなり、発生する翼端渦は小さく抑えられる。また、オリフィスに囲まれた羽根外周端部では負圧面の吐出流れは湾曲した羽根の負圧面近傍に沿って流れるため、翼端渦を外周に押しやる作用を弱め、反対に翼端渦を羽根外周端部から内側に移動させ、翼端渦とオリフィスとの接触を抑制しオリフィス内での翼端渦の崩壊を防止し、オリフィスに囲われた吐出側において羽根外周端部で翼端渦が安定して羽根車から吐出する。
【００３２】
請求項４に記載の発明は、前記羽根の外周端部の圧力面側に面取りを設けたものである。
【００３３】
かかる構成とすることにより、請求項１から３に記載の発明に加え、吸込側の羽根外周端部の圧力面側から負圧面側へ回り込む際に羽根外端の圧力面側のエッジでの気流の剥離、及びそれに伴う乱れの発生を小さく抑え、翼端渦の生成の際の不安定化を小さく抑制す
る。
【００３４】
請求項５に記載の発明は、前記羽根の外周端部の圧力面に面取りを設け、オリフィスに囲まれた吐出側の面取りの曲率半径が、オリフィスに囲まれていない吸込み側の面取りの曲率半径に対し小さくしたものである。
【００３５】
かかる構成とすることにより、請求項４に記載の発明に加え、羽根外周端部とオリフィス間を通過する洩れ流れが圧力面側のエッジ近傍を通過する際の乱れが抑えられ、漏れ損失が小さくなる。
【００３６】
請求項６に記載の発明は、前記羽根の外周端部のオリフィスに囲まれていない吸込み側では圧力面に面取りを設け、羽根の外周端部のオリフィスに囲まれた吐出側では負圧面に面取りを設けたものである。
【００３７】
かかる構成とすることにより、請求項１から３に記載の発明に加え、吸込側の羽根外周端部の圧力面側から負圧面側へ回り込む際に羽根外端の圧力面側のエッジでの気流の剥離、及びそれに伴う乱れの発生を小さく抑え、吸込側の羽根外周端部、翼端渦の生成の際の不安定化を小さく抑制する。
【００３８】
さらに、羽根のオリフィスに囲まれた部分で、オリフィスと羽根外周端部の間のシール力を高め、漏れ流れを防止し、オリフィスに囲われた吐出側の外周端部負圧面側での漏れ流れによる翼端渦の発生を防止し、羽根外周側の空力特性を向上する。
【００３９】
請求項７に記載の発明は、前記羽根の外周端部のオリフィスに囲まれた吐出側では負圧面に設けた面取りの曲率半径が、前記羽根の外周端部のオリフィスに囲まれていない吸込み側の圧力面に設けた面取りの曲率半径より小さいものである。
【００４０】
かかる構成とすることにより、請求項６に記載の発明に加え、羽根のオリフィスに囲まれた部分で、オリフィスと羽根外周端部の間をわずかに流れる漏れ流れが湾曲した羽根外周端部の負圧面に沿って内部に流れるため、羽根外周端部の負圧面側近傍でオリフィスの内壁と干渉して乱れることを防止する。
【００４１】
以下、本発明の実施の形態について、図面を参照しながら説明する。なお、この実施の形態によってこの発明が限定されるものではない。
【００４２】
（実施の形態１）
図１は本発明の実施の形態１における空気調和機の室外ユニットの断面図である。図２は同実施の形態における送風機の断面図であり、図３は同実施の形態における送風機の平面図であり、図４は図３のＯ−Ａ断面における羽根外周要部拡大図である。
【００４３】
図１において、本室外ユニット１は筐体２内に、平面がＬ形状の室外熱交換器３と、モータ４と、羽根車５と、オリフィス１４からなる送風機７と、コンプレッサ８と、四方弁、インバータ等（図示せず）を収容している。そして、室外熱熱交器３と、送風機７からなる風路９とコンプレッサ８との間を仕切板１０により仕切っている。
【００４４】
また、図２、図３  に示すように、羽根車５は、回転軸中心にモ−  タ４のシャフト１１を固定された略円筒状のハブ１２を中心にして薄肉翼状の羽根１３を放射状に２枚設けている。そして、羽根１３の外周端部１３ｄの回転軌跡に沿うような適切なオリフィス１４にて羽根１３の吐出側１３ｂを囲うようにしている。
【００４５】
ここで、オリフィス１４に囲われていない羽根１３の吸込み側１３ａの外周径が羽根１３の前縁１５からオリフィス１４近傍にかけて漸次大きくなりオリフィス１４に囲われた吐出側１３ｂで、外周径となる羽根１３の後縁１６はオリフィス１４の最小内径と一定の隙間を確保する最大径となるものである。
【００４６】
さらに、羽根１３のオリフィス１４に囲まれていない吸込側１３ａの外周端部１３ｄを負圧面側１３ｄ２に湾曲させ、また、羽根１３の外周端部１３ｄの圧力面側１３ｄ１に面取りＲ１を設けたものである。
【００４７】
以上のように構成された室外ユニットについて、以下その動作、作用を説明する。
【００４８】
まず、モータ４により回転軸４ａを介して羽根車５が回転駆動して、室外熱交換器３を介して室外空気を、羽根車５内に導く。その際、複数の羽根１３と、羽根１３の周囲に設けられたオリフィス１４により、動圧と静圧が付加され送風作用を成す。また、室外熱交換器３を通過する際に、コンプレッサ８の作動により室外熱交換器３の管内を流動する冷媒と熱交換する。
【００４９】
そして、オリフィス１４に囲われていない羽根１３の吸込み側１３ａの外周端部１３ｄと、室外ユニット１の風路９内の仕切板１１や室外熱交換器３の内面側との距離がオリフィス１４近傍まで離れているため、オリフィス１４に囲われていない羽根１３の吸込み側１３ａの外周端部１３ｄの負圧面側１３ｄ２で生成される翼端渦が安定化し、羽根外周側の流れが乱れず、流動損失と乱流騒音の増加を抑制することができる。
【００５０】
また、この翼端渦は、羽根１３の吸込側１３ａから吐出側１３ｂに向かう流れとともにオリフィス１４に吸い込まれるが、安定化しているので、羽根１３の外周端部１３ｄとオリフィス１４の間を通過する洩れ流れより外周端１３ｄの負圧面側１３ｄ２に発生する翼端渦の生成を阻害せず、オリフィス１４に囲われた吐出側１３ｂにおいても外周端部１３ｄから羽根１３の外周側にかけ流れの安定し、大きな乱れエネルギが放出されず、吐出側１３での大きな流動損失と乱流騒音の高まりを小さく抑えることができる。
【００５１】
さらに、オリフィス１４に囲まれていない吸込側１３ａの外周端部１３ｄを負圧面側１３ｄ２に湾曲させているので、オリフィス１４に囲まれていない吸込側１３ａの羽根１３の外周端部１３ｄの圧力面側１３ｄ１から負圧面側１３ｄ２へ回り込む気流は緩やかに方向転換して回り込み、かつ負圧面側１３ｄ２から吹き出す気流も湾曲した羽根１３の負圧面に沿って回り込み気流とほぼ同方向に吐出されるため、気流の境界で生じる乱れは小さく、羽根１３の外周端部１３ｄの負圧面側１３ｄ２で発生する翼端渦が小さくなり羽根１３の外周部における気流の乱れを抑制する。
【００５２】
さらに、また、面取りＲ１により、吸込側１３ａの羽根１３の外周端部１３ｄの圧力面側１３ｄ１から負圧面側１３ｄ２へ回り込む際に外端部１３ｄの圧力面側１３ｄ１のエッジで，気流の剥離、及びそれに伴う乱れの発生を小さく抑え、翼端渦の生成の際の不安定化を小さく抑制する。
【００５３】
（実施の形態２）
図５は実施の形態２における送風機の断面図であり、図６は同実施の形態における送風機の平面図であり、図７は図６のＯ−Ｂ断面における羽根外周要部拡大図であり、図８は図６のＯ−Ｃ断面における羽根外周要部拡大図である。
【００５４】
尚、実施の形態１と同じ構成要件については同一の符号を付して説明を省略する。
【００５５】
図５から図８で示すように、羽根１３の外周端部１３ｅは吸込み側１３ｅ（ａ）から吐出側１３ｅ（ｂ）にかけて羽根１３の負圧面側に湾曲し、オリフィス１４に囲まれた吐出側の湾曲部１３ｅ（ｂ）が、オリフィス１４に囲まれていない吸込側の湾曲部１３ｅ（ａ）に比べ小さく、さらに、羽根１３の外周端部１３ｅの圧力面側１３ｅ（ａ）１、１３ｅ（ｂ）１に面取りＲ２、Ｒ３を設け、オリフィス１４に囲まれた外周端部１３ｅの圧力面側１３ｅ（ｂ）１の面取りＲ３の曲率半径が、オリフィス１４に囲まれていない圧力面側１３ｅ（ａ）１の面取りＲ２の曲率半径に対し小さくしたものである。
【００５６】
以上のように構成された実施の形態２の室外ユニット１の特に送風機７の動作、作用を説明する。
【００５７】
まず、オリフィス１４に囲まれていない吸込側１３ａの羽根１３の外周端部１３ｅの湾曲部１３ｅ（ａ）の圧力面側１３ｅ（ａ）１から負圧面側１３ｅ（ａ）２へ回り込む気流は緩やかに方向転換して回り込み、かつ負圧面側１３ｅ（ａ）２から吹き出す気流も湾曲した負圧面に沿って回り込み気流とほぼ同方向に吐出されるため、気流の境界で生じる乱れは小さく、羽根１３の外周端部１３ｅの負圧面側１３ｅ（ａ）２で発生する翼端渦が小さくなり羽根１３の外周部における気流の乱れを抑制する。
【００５８】
さらに、羽根１３のオリフィス１４に囲まれた部分の外周端部１３ｅの湾曲部１３ｅ（ｂ）を負圧面側１３ｅ（ｂ）２に小さく湾曲させているため、湾曲部１３ｅ（ｂ）とオリフィス１４の間を通過する洩れ流れが少なくなり、発生する翼端渦は小さく抑えられる。また、オリフィス１４に囲まれた外周端部１３ｅの湾曲部１３ｅ（ｂ）では負圧面側１３ｅ（ｂ）２の吐出流れは湾曲した負圧面近傍に沿って流れるため、翼端渦を外周に押しやる作用を弱め、反対に翼端渦を外周端部１３ｅの湾曲部１３ｅ（ｂ）から内側に移動させ、翼端渦とオリフィス１４との接触を抑制しオリフィス１４内での翼端渦の崩壊を防止し、オリフィス１４に囲われた吐出側において外周端部１３ｅの湾曲部１３ｅ（ｂ）で翼端渦が安定して羽根車５から吐出する。
【００５９】
そして、面取りＲ２により、羽根１３の吸込側の外周端部１３ｅの湾曲部１３ｅ（ａ）の圧力面側１３ｅ（ａ）１から負圧面側１３ｅ（ａ）２へ回り込む際に外端部１３ｅの湾曲部１３ｅ（ａ）の圧力面側１３ｅ（ａ）１のエッジで、気流の剥離、及びそれに伴う乱れの発生を小さく抑え、翼端渦の生成の際の不安定化を小さく抑制する。
【００６０】
また、さらに、面取りＲ３により、外周端部１３ｅの湾曲部１３ｅ（ｂ）とオリフィス１４の間を通過する洩れ流れが圧力面側１３ｅ（ｂ）１のエッジ近傍を通過する際の乱れが抑えられ、漏れ損失が小さくなる。
【００６１】
（実施の形態３）
図９は実施の形態３における送風機の断面図であり、図１０は同実施の形態における送風機の平面図であり、図１１は図１０のＯ−Ｄ断面における羽根外周要部拡大図であり、図１２は図１０のＯ−Ｅ断面における羽根外周要部拡大図である。
【００６２】
尚、実施の形態１、実施の形態２と同じ構成要件については同一の符号を付して説明を省略する。
【００６３】
図９から図１２で示すように、羽根１３の外周端部１３ｅは吸込み側１３ｅ（ａ）から吐出側１３ｅ（ｂ）にかけて羽根１３の負圧面側に湾曲し、オリフィス１４に囲まれた吐出側の湾曲部１３ｅ（ｂ）が、オリフィス１４に囲まれていない吸込側の湾曲部１３ｅ（ａ）に比べ小さい。
【００６４】
そして、オリフィス１４に囲われていない羽根１３の外周端部１３ｅの湾曲部１３ｅ（ａ）の圧力面側１３ｅ（ａ）１に面取りＲ４を設け、オリフィス１４に囲われた羽根１３の外周端部１３ｅの湾曲部１３ｅ（ｂ）の負圧面側１３ｅ（ｂ）２に面取りＲ５を設けている。
【００６５】
さらに、オリフィス１４に囲まれた外周端部１３ｅの湾曲部１３ｅ（ｂ）の圧力面側１３ｅ（ｂ）１の面取りＲ５の曲率半径が、オリフィス１４に囲まれていない外周端部１３ｅの湾曲部１３ｅ（ａ）圧力面側１３ｅ（ａ）１の面取りＲ４の曲率半径に対し小さくしている。
【００６６】
以上のように構成された実施の形態３の室外ユニット１の特に送風機７の動作、作用を説明する。
【００６７】
まず、オリフィス１４に囲まれていない吸込側の外周端部１３ｅの湾曲部１３ｅ（ａ）では、面取りＲ４により、羽根１３の吸込側の外周端部１３ｅの湾曲部１３ｅ（ａ）の圧力面側１３ｅ（ａ）１から負圧面側１３ｅ（ａ）２へ回り込む際に湾曲部１３ｅ（ａ）の圧力面側１３ｅ（ａ）１のエッジで，気流の剥離、及びそれに伴う乱れの発生を小さく抑え、翼端渦の生成の際の不安定化を小さく抑制する。
【００６８】
さらに、オリフィス１４に囲われた羽根１３の吐出側１３ｂでは、外周端部１３ｅの湾曲部１３ｅ（ｂ）の負圧面側１３ｅ（ｂ）２に面取りＲ５を設けることにより、オリフィス１４に囲まれた外周端部１３ｅの湾曲部１３ｅ（ｂ）では、オリフィス１４と羽根１３の外周端部１３ｅの間のシール力を高め、漏れ流れを防止し、オリフィス１４に囲われた外周端部１３ｅの湾曲部１３ｅ（ｂ）の負圧面側１３ｅ（ｂ）２での漏れ流れによる翼端渦の発生を防止し、羽根１３の外周側の空力特性を向上する。
【００６９】
また、さらに、オリフィス１４に囲まれた外周端部１３ｅの湾曲部１３ｅ（ｂ）の圧力面側１３ｅ（ｂ）１の面取りＲ５の曲率半径が小さいので、オリフィス１４に囲われた羽根１３の吐出側１３ｂでは、オリフィス１４と羽根１３の外周端部１３ｅ（ｂ）の間をわずかに流れる漏れ流れが外周端部１３ｅ（ｂ）の負圧面１３ｅ（ｂ）２の面取りＲ５に沿って羽根３の内周側に流れるため、羽根１３の外周端部１３ｅの湾曲部１３ｅ（ｂ）の負圧面側１３ｅ（ｂ）２近傍でオリフィス１４の内壁と干渉して乱れることを防止する。
【産業上の利用可能性】
【００７０】
以上のように、本発明にかかる構成の室外ユニットは、風路内において、オリフィスに囲われていない吸込側の羽根外周端部での翼端渦の仕切版、熱交換器の内面の接触を抑え翼端渦を安定化させ、さらに、オリフィスに囲われた吐出側の羽根外周端とオリフィス間を通過する洩れ流れを抑制かつ制御し、翼端渦の生成を安定化させ、流動損失と乱流騒音の増加を小さく抑えることができる。
【００７１】
従って、かかる羽根車、送風機を用いた室外ユニットの送風効率の向上とヒートポンプユニットとしての高い熱交換能力を両立でき、さらに低騒音化が可能となるので、家庭用、業務用等エアコンの空調機器、家庭用冷凍冷蔵庫や自動販売機等の冷凍冷蔵機器、給湯機等のヒートポンプ機器、さらに熱電子部品を有する電子機器のみならず、ＡＶ機器、廃熱回収機器などの用途にも適用できる。
【符号の説明】
【００７２】
１  室内ユニット
２  筐体
３  熱交換器
４  モータ
５  羽根車
７  送風機
８  圧縮機
９  風路
１０  仕切板
１２  ハブ
１３  羽根
１３ａ  吸込側
１３ｂ  吐出側
１３ｄ、１３ｅ、１３ｅ（ａ）、１３ｅ（ｂ）  外周端部（湾曲部）
１３ｄ１、１３ｅ（ａ）１、１３ｅ（ｂ）１  圧力面側
１３ｄ２、１３ｅ（ａ）２、１３ｅ（ｂ）１２負圧面側
１４  オリフィス
１５  前縁
１６  後縁
Ｒ１、Ｒ２、Ｒ３，Ｒ４  圧力面側の面取り
Ｒ５  負圧面側の面取り
【図１】
2013120046.tif 000003
【図２】
2013120046.tif 000004
【図３】
2013120046.tif 000005
【図４】
2013120046.tif 000006
【図５】
2013120046.tif 000007
【図６】
2013120046.tif 000008
【図７】
2013120046.tif 000009
【図８】
2013120046.tif 000010
【図９】
2013120046.tif 000011
【図１０】
2013120046.tif 000012
【図１１】
2013120046.tif 000013
【図１２】
2013120046.tif 000014
【図１３】
2013120046.tif 000015
【図１４】
2013120046.tif 000016
【図１５】
2013120046.tif 000017
【図１６】
2013120046.tif 000018
【図１７】
2013120046.tif 000019